(57)【要約】【課題】個々のダンヤモンド粒片を有効に働かせ、長時間の使用でもダンヤモンド粒片の損耗むらを軽減し、ディスク面中央部からの切削粉の排出性も向上した研削用ダイヤディスクを提供する。【解決手段】ディスク面中間部５から周縁部６に掛けてダンヤモンド粒片２を固着したダイヤディスクにおいて、共通の回転軌跡上にあって前後するダンヤモンド粒片間の離隔距離ｍ１を、隣り合う回転軌跡上にあって近接するダンヤモンド粒片との離隔距離ｍ２より長く設定して各ダンヤモンド粒片を整列状に固着した。【選択図】　図１
2004066383.tif 000002
【特許請求の範囲】
【請求項１】
ディスクの中央部を残し、ディスク面中間部から周縁部に掛けてダンヤモンド粒片を固着したダイヤディスクにおいて、共通の回転軌跡上にあって前後するダンヤモンド粒片間の離隔距離を、隣り合う回転軌跡上にあって近接するダンヤモンド粒片との離隔距離より長く設定して各ダンヤモンド粒片を整列状に固着したことを特徴とする研削用ダイヤディスク。
【請求項２】
隣り合う回転軌跡上にあって互いに近接して前後するダンヤモンド粒片間に形成される隙間が、内側端を回転方向に先行させて放射方向に傾斜するアーチ状をなすことを特徴とする請求項１記載の研削用ダイヤディスク。
【請求項３】
隣り合う回転軌跡上にあって互いに近接して前後するダンヤモンド粒片間に形成される隙間が、内側端を回転方向に先行させて外側端向けに渦巻き状をなすことを特徴とする請求項１記載の研削用ダイヤディスク。
【発明の詳細な説明】
【０００１】
【発明の属する技術分野】
本発明は、ディスクグラインダーを使用して各種の被研削物の研削作業に使用する研削用ダイヤディスクに関するものである。
【０００２】
【従来の技術】
従来より、鋼板製のディスク面に、その中央部を残してダンヤモンド粒片を固着したダイヤディスクが実用されている。
【０００３】
この種のダイヤディスクは、ディスク中央に設けた取付け孔を介してディスクグラインダーの回転軸に取着し、高速回転させることによってコンクリート部材、石材、タイル等の被研磨物の研削作業に使用されるもので、使用目的に合わせてディスクの大きさや形態、また、ディスク面に固着されるダンヤモンド粒片の粒度や密度等の異なるダイヤディスクが各種市販されている。
【０００４】
【発明が解決しようとする課題】
ところで、比較的粒度の大きいダンヤモンド粒片を固着したダイヤディスクの場合、個々のダンヤモンド粒片は、ディスク面に対してロウ付け又はレーザー溶接等により適宜の間隔をとって固着されるが、ダンヤモンド粒片が、単に、全体的に密度むらがないように間隔をとってディスク面に固着したものでは、実際の研削作業に使用すると、共通の回転軌跡上に位置するダンヤモンド粒片が回転方向に前後し、この回転軌跡上で前後するダンヤモンド粒片間の離間距離が小さく場合は、先行するダンヤモンド粒片の後ろに後続のダンヤモンド粒片が隠れ、個々のダンヤモンド粒片が有効に働かなくて研削能率を低下させる。
【０００５】
また、長時間の使用では、ディスク面上のダンヤモンド粒片は損耗むらが生じ、これが原因で、研削能率の低下や耐用寿命を減少させる。
【０００６】
また、ディスク面におけるダンヤモンド粒片の配列からして、全体的に密度むらがないようにしたランダムな配列では、研削作業時に、ディスク面中央部から周縁部に向けて切削粉が移動する過程で目詰まりを生じ易く、これも研削能率に影響を与える。
【０００７】
そこで、本発明は、取り扱い面からは市販製品と何ら変わることなく使用でき、個々のダンヤモンド粒片を有効に働かせることができ、長時間の使用でもダンヤモンド粒片の損耗むらを軽減し、しかも、ディスク面中央部からの切削粉の排出性も向上した研削用ダイヤディスクを提供することを目的としたものである。
【０００８】
【課題を解決するための手段】
上記目的を達成するために、本発明に係る研削用ダイヤディスクは、ディスクの中央部を残し、ディスク面中間部から周縁部に掛けてダンヤモンド粒片を固着したダイヤディスクにおいて、共通の回転軌跡上にあって前後するダンヤモンド粒片間の離隔距離を、隣り合う回転軌跡上にあって近接するダンヤモンド粒片との離隔距離より長く設定して各ダンヤモンド粒片を整列状に固着したことを特徴とする。
【０００９】
ここで、ディスク自体は、鋼板製のもので、ディスク中間部から取付け孔を有する中央部に掛けて平板部を残して所定の深さで一方のディスク面側に窪ませ、他方のディスク面側で窪み部の外周部からディスク外周部に掛けてのディスク面にダンヤモンド粒片を固着したものである。
【００１０】
このように構成されたダイヤディスクによれば、共通の回転軌跡上にあって前後するダンヤモンド粒片間の離隔距離を、隣り合う回転軌跡上にあって近接するダンヤモンド粒片との離隔距離より長く設定したので、コンクリートや石材等に対する研削作業で、ダイヤディスクが回転して共通の回転軌跡上にあって前後するダンヤモンド粒片間には、充分な間隔が確保されて後続のダンヤモンド粒片が先行するダンヤモンド粒片の後ろに隠れて研削むらを生じるようなことがなく、個々のダンヤモンド粒片が有効に働いて研削能率を高めることができる。
【００１１】
また、個々のダンヤモンド粒片は均等な切削抵抗を受け、長時間の使用でもダンヤモンド粒片の損耗むらを軽減することができるので、この面からも研削能率の低下がなく、耐用寿命の延長が図られる。
【００１２】
また、ディスク面におけるダンヤモンド粒片の配列として、隣り合う回転軌跡上にあって互いに近接して前後するダンヤモンド粒片間に形成される隙間が、内側端を回転方向に先行させて放射方向に傾斜するアーチ状になるようにするか、または、隙間の内側端を、回転方向に先行させて外側端向けに渦巻き状になるようにすると、研削作業中に、ディスク面中央部に生じる切削粉は、前後するダンヤモンド粒片間に形成される隙間から無理なく自然にディスク外周部に向けて誘導されて外部に排出されるので、ディスク面に残留して目詰まり生じることなく、この面からも研削効率を高めることができる。
【００１３】
【発明の実施の形態】
以下、本発明の実施の形態の一例を、図面に基づいて説明する。
【００１４】
図１は本発明の実施の形態を示すダイヤディスクの正面図、図２はダイヤディスクの縦断面図、図３はダンヤモンド粒片の配列を説明するためのダイヤディスクの一部拡大正面図である。
【００１５】
図において、鋼板製のディスク１の片側のディスク面に、ダンヤモンド粒片２を範囲を限定して固着している。
【００１６】
実施の形態のディスク１は、ディスク中間部から取付け孔３を有する中央部に掛けて平板部を残して所定の深さで一方のディスク面側に窪ませて窪み部４を形成し、この窪み部外周部５を、他方のディスク面側に丸みを付けて膨出状にし、これよりディスク外周部６に掛けてディスク面を、緩やかな湾曲面を形成して窪み部４側に反らせた形態のもので、ダンヤモンド粒片２は、窪み部外周部５からディスク外周部６に掛けてのディスク面に公知の手法によって固着している。
【００１７】
実施の形態におけるダンヤモンド粒片２の配列を、隣り合う３つの回転軌跡ａ、ｂ、ｃを例にとり、図３を参照しながら説明する。
【００１８】
図３に示すように、隣り合う３つの回転軌跡ａ、ｂ、ｃ上に位置するダンヤモンド粒片２の位置関係は、共通の回転軌跡ａ上にあって前後するダンヤモンド粒片２ａ間の離隔距離ｍ１を、回動軌跡ａの両隣りの回転軌跡ｂ、ｃ上にあって近接するダンヤモンド粒片２ｂ，２ｃとの離隔距離ｍ２より長く設定して各ダンヤモンド粒片２を整列状に固着している。
【００１９】
この場合、ダンヤモンド粒片２の整列として局部的には、ディスク１の回転方向（回転軌跡方向）に見て、隣り合うダンヤモンド粒片２がほぼダイヤ形の配列とするが、これを組み合わて全体的な広がりのある配列としては、隣り合う回転軌跡上にあって互いに近接して前後するダンヤモンド粒片２間に隙間７を形成し、この隙間７は、その内側端７ａを回転方向に先行させて放射方向に傾斜するアーチ状にして外側端７ｂがディスク外周部６に達するようにしている。
【００２０】
【発明の効果】
本発明は、以上説明したような形態で実施され、本発明によれば、ダイヤディスクの中央部に設けた取付け孔を介してディスクグラインダーの回転軸に取着し、コンクリートや石材等に対する研削作業に使用するもので、取り扱い面からは、市販製品と何ら変わらずに使用できる。ディスク面に固着したダンヤモンド粒片の配列で、共通の回転軌跡上にあって前後するダンヤモンド粒片間の離隔距離を、隣り合う回転軌跡上にあって近接するダンヤモンド粒片との離隔距離より長く設定したので、研削作業時に、共通の回転軌跡上にあって先行するダンヤモンド粒片の後ろに後続のダンヤモンド粒片が隠れるようなことがなく、個々のダンヤモンド粒片が有効に働いて作業効率を高めることができる。
【００２１】
また、隣り合う回転軌跡上にあって互いに近接して前後するダンヤモンド粒片間には、内側端を回転方向に先行させ、放射方向に傾斜してディスク外周部に達する隙間を形成するので、ディスク面中央部に生じる切削粉は、この隙間から無理なく自然にディスク外周部に誘導して排出して目詰まり生じることなくなり、この面からも安定した切削性能を発揮し、研削効率を高めることができる。
【図面の簡単な説明】
【図１】本発明の実施の形態を示すダイヤディスクの正面図である。
【図２】図１におけるダイヤディスクの縦断面図である。
【図３】ダンヤモンド粒片の配列を説明するためのダイヤディスクの一部拡大正面図である。
【符号の説明】
１　ディスク
２　ダンヤモンド粒片
２ａ　ダンヤモンド粒片
２ｂ　ダンヤモンド粒片
２ｃ　ダンヤモンド粒片
３　取付け孔
４　窪み部
５　窪み部外周部
６　ディスク外周部
７　隙間
７ａ　隙間内側端
７ｂ　隙間外側端
【図１】
2004066383.tif 000003
【図２】
2004066383.tif 000004
【図３】
2004066383.tif 000005